(57)【要約】【課題】  電源電圧の低下を抑制し、以って不本意な電源遮断（不時電源オフ）を回避して、システムの安定性を向上した電子カメラを提供する。【解決手段】  沈胴式レンズの格納処理中、電子カメラ各部の処理を実行する主制御手段をスタンバイ状態又は電源オフ状態にする。電力消費の大きい二つのブロックの重畳的動作を回避でき、電力消費の増大を防止して電源電圧の低下を抑制できる。【選択図】      図３
2005331988.tif 000002
【特許請求の範囲】
【請求項１】
電動の沈胴式レンズを備えた電子カメラにおいて、
電子カメラ各部の処理を実行する主制御手段と、
前記沈胴式レンズの格納処理を実行する副制御手段とを備え、
前記副制御手段により前記沈胴式レンズの格納処理が実行されている場合、前記主制御手段をスタンバイ状態又は電源オフ状態に保持し、前記副制御手段による格納処理の終了後、前記副制御手段が前記電子カメラ各部及び又はレンズ駆動部の電源をオフするようにしたことを特徴とする電子カメラ。
【請求項２】
電動の沈胴式レンズを備えた電子カメラにおいて、
電子カメラ各部の処理を実行する主制御手段と、
前記沈胴式レンズを駆動するモータの初期化処理を実行する副制御手段とを備え、
前記副制御手段により前記モータの初期化処理が実行されている場合、前記主制御手段をスタンバイ状態又は電源オフ状態に保持し、前記副制御手段による初期化処理の終了後、前記副制御手段が前記主制御手段のスタンバイ状態又は電源オフ状態を解除するようにしたことを特徴とする電子カメラ。
【発明の詳細な説明】
【技術分野】
【０００１】
本発明は、電子カメラに関し、例えば、電動の沈胴式レンズ（注１）やズームレンズ（以下「電動写真レンズ」と言う）を備えた電子カメラに関する。
注１：電源を入れていないときはカメラ本体に引き込まれており、電源を入れると、カメラ本体から引き出されて使用可能になる写真レンズのこと。
【背景技術】
【０００２】
一般に、電子カメラは、写真レンズを通して取り込んだ被写体の像をイメージセンサで電気信号に変換し、この電気信号を高速半導体メモリに展開して画像データに変換するとともに、ホワイトバランス等の色修正や画像圧縮、画像サイズの変換などの様々な処理を施して液晶ディスプレイに表示したり不揮発性半導体メモリに記録したりするものである。
上記様々な処理（以下、便宜的に「メイン処理」と言う）の多くは、開発容易性の点からマイクロコンピュータ（以下、ＣＰＵと略す）によってソフト的に行われているが、近年、ますます画像の画素数が増大する傾向になってきたことから、メイン処理の負担が一段と大きくなり、より高性能なＣＰＵが搭載されるようになってきた。
【発明の開示】
【発明が解決しようとする課題】
【０００３】
しかしながら、高性能なＣＰＵの搭載は、一方で電力消費の増大を招く（注２）こととなり、電池の消耗を増やすという電子カメラにとって重大な問題を抱えるに至っている。
注２：例えば、３２ビットのＲＩＳＣ（reduced instruction set computer：縮小命令コンピュータセット）チップの場合、３００ｍＷから６００ｍＷにもなることがある。
【０００４】
特に、かかる問題点は、電動写真レンズを搭載した電子カメラの場合に相当深刻である。
一般に、電動写真レンズ、例えば、電動式のズームレンズは、モータで鏡筒を伸び縮みさせて写真レンズの倍率を変化させており、撮影を完了して電源を切る（オフにする）際は、ケース等への収納に邪魔にならないようにするため、鏡筒を最短長まで縮めるという処理（以下「格納処理」と言う）を行うが、この処理と並行して、カメラ本体のシステム終了処理や上述のメイン処理の一部も行われる（これらの処理は上記ＣＰＵにおける処理である）からである。
その結果、上述のＣＰＵの電力消費に加えて、レンズ駆動系の電力消費も加算されることとなり、したがって、電源をオフにする際に急激な電圧低下を招き、電池の残存能力によっては、もはや動作を維持できない程度まで低下することがあり、この場合、システムの終了処理を完了する前に、不本意ながら電源が遮断（以下、この電源遮断のことを「不時電源オフ」と言う）されてしまうので、例えば、記録中の画像が消滅したりシステムエラーを引き起こしたり、電動式のズームレンズが収納処理の途中で停止してしまうという問題点があったからである。
また、従来の電子カメラにおいては、レンズ駆動用のサブＣＰＵに電源制御機能がなかったため、電源オフ時にレンズを収納する場合、その間メインＣＰＵは、何ら処理を行なっていないのにもかかわらず、レンズ収納後の電源オフ処理を実行するためだけにオン状態になっていた。よって、この場合、メインＣＰＵの駆動負荷とレンズの駆動負荷が同時にかかってしまうので、この点においても上記問題点の要因となっていた。
【０００５】
図８は、電動写真レンズを備えた従来の電子カメラの要部ブロック図である。この図において、１００は電源スイッチを含むキーブロック、１０１は電源部、１０２はレンズ駆動部、１０３は光学レンズやレンズ駆動機構を含む光学メカブロック、１０４はイメージセンサとしてのＣＣＤ（charge coupled device：電荷結合素子）、１０５はＣＣＤ駆動ブロックである。
また、１０６はメインＣＰＵ（上述のシステム終了処理やメイン処理を担当するＣＰＵであり電力消費の大きい高性能なＣＰＵである）、１０７はメインＣＰＵ１０６で実行する各種プログラムやデータ等を格納するＲＯＭ、１０８は同プログラムをロードして実行するためのＲＡＭである。
なお、これ以外にも、画像展開用のメモリや画像記録用のフラッシュメモリ及び液晶表示装置並びにこれら各部の制御ブロックなども備えているが、本発明と直接の関連がないため説明を割愛する。
【０００６】
電源部１０１は、カメラ各部へ電源を供給する電源ブロック１０１ａと、その制御ブロック（電源制御ブロック）１０１ｂとから構成されており、電源制御ブロック１０１ｂは、キーブロック１００からの電源オン信号１０９に応答して電源ブロック１０１ａの起動（電源の発生）を促す電源起動信号１１０をアクティブにするとともに、メインＣＰＵ１０６から出力される維持信号１１１がアクティブになっている間、電源起動信号１１０のアクティブを継続するというものであり、要するに、キーブロック１００の電源スイッチをオンにすると、直ちに電源ブロック１０１ａからカメラ各部に電源が供給され、これに伴って、メインＣＰＵ１０６を含むカメラ各部の動作が開始されるとともに、メインＣＰＵ１０６で所要のシステム起動処理が実行されることにより、メインＣＰＵ１０６からの維持信号１１１がアクティブになって、以降、カメラ各部への電源供給が継続されるというものである。
【０００７】
ここで、撮影を終えて電源をオフにする際は、まず、キーブロック１００の電源スイッチをオフにする。このオフ操作に応答して、キーブロック１００から電源オフ信号１１２が出力され、メインＣＰＵ１０６は、この電源オフ信号１１２に従って所要のシステム終了処理を開始するが、かかるシステム終了処理には、上述の「格納処理」は含まれない。この格納処理は、レンズ駆動部１０２に設けられた、４ビットないし８ビット程度の比較的低性能な、したがって、低電力のＣＰＵ１０２ａ（以下「サブＣＰＵ」と言う）の担当であり、サブＣＰＵ１０２ａは、システム終了処理を実行中のメインＣＰＵ１０６からの処理開始信号１１３に応答して当該処理を開始するというものである。
すなわち、サブＣＰＵ１０２ａは、処理開始信号１１３に従ってモータドライバ１０２ｂを制御しながらモータ１０２ｃを駆動し、光学メカブロック１０３に含まれるレンズ駆動機構を動かして鏡筒の長さを最短長に縮めるという処理動作を独立して行うものである。
【０００８】
図９は、電源オフ時の概念的な動作タイミングチャートであり、図面の横方向が時間軸である。まず、電源スイッチをオフにすると、（Ｓ１）電源オフ信号１１２が発生し、（Ｓ２）メインＣＰＵ１０６でシステム終了処理が開始される。次いで、（Ｓ３）システム終了処理の適宜の時点で処理開始信号１１３が発生し、（Ｓ４）これに応答してサブＣＰＵ１０２ａで格納処理が開始される。
そして、（Ｓ５）格納処理の開始に伴ってモータ１０２ｃが回転を始め、（Ｓ６）鏡筒の長さが最短長になった時点でモータ１０２ｃの回転が停止し、（Ｓ７）格納処理の完了がメインＣＰＵ１０６に伝えられる。
最後に、（Ｓ８）メインＣＰＵ１０６は、自身の処理完了を待ってから維持信号１１１をインアクティブにし、（Ｓ９）電源ブロック１０１ａからカメラ各部に供給される電源を遮断して一連の電源オフ処理を終了する。
【０００９】
図９において、注目すべき区間は（Ｓ５）から（Ｓ６）までの区間Ａである。この区間Ａは、モータ１０２ｃの回転区間であり、且つ、メインＣＰＵ１０６におけるシステム終了処理の区間でもあるから、両者の消費電力が加算されて著しい電源電圧の低下をきたす区間である。
したがって、この区間Ａでは、電池の残存能力が低い場合に電源電圧が動作保証電圧を下回る可能性があり、この場合、同区間Ａで“不時電源オフ”を引き起こすおそれを否めないため、システムの安定性を確保する点で、是非とも解決しなければならない重大な問題点を抱えている。
【００１０】
また、上記問題点は、電源オフ時のみならず、電源オン時にも顕在化することがある。電動写真レンズ付き電子カメラにおいては、電源オン時に、レンズ駆動機構の初期化処理（原点位置出し等の処理）を実行することがあるが、これと並行して、メインＣＰＵ１０６で所要のシステム初期化処理も行われるからである。
【００１１】
そこで本発明は、電源電圧の低下を抑制し、以って不本意な電源遮断（不時電源オフ）を回避して、システムの安定性を向上した電子カメラを提供することを目的とする。
【課題を解決するための手段】
【００１２】
請求項１記載の発明は、電動の沈胴式レンズを備えた電子カメラにおいて、電子カメラ各部の処理を実行する主制御手段と、前記沈胴式レンズの格納処理を実行する副制御手段とを備え、前記副制御手段により前記沈胴式レンズの格納処理が実行されている場合、前記主制御手段をスタンバイ状態又は電源オフ状態に保持し、前記副制御手段による格納処理の終了後、前記副制御手段が前記電子カメラ各部及び又はレンズ駆動部の電源をオフするようにしたことを特徴とする。
請求項２記載の発明は、電動の沈胴式レンズを備えた電子カメラにおいて、電子カメラ各部の処理を実行する主制御手段と、前記沈胴式レンズを駆動するモータの初期化処理を実行する副制御手段とを備え、前記副制御手段により前記モータの初期化処理が実行されている場合、前記主制御手段をスタンバイ状態又は電源オフ状態に保持し、前記副制御手段による初期化処理の終了後、前記副制御手段が前記主制御手段のスタンバイ状態又は電源オフ状態を解除するようにしたことを特徴とする。
【発明の効果】
【００１３】
請求項１記載の発明によれば、電動の沈胴式レンズを備えた電子カメラにおいて、電子カメラ各部の処理を実行する主制御手段と、前記沈胴式レンズの格納処理を実行する副制御手段とを備え、前記副制御手段により前記沈胴式レンズの格納処理が実行されている場合、前記主制御手段をスタンバイ状態又は電源オフ状態に保持し、前記副制御手段による格納処理の終了後、前記副制御手段が前記電子カメラ各部及び又はレンズ駆動部の電源をオフするようにしたので、沈胴式レンズの格納処理中、主制御手段がスタンバイ状態又は電源オフ状態となり、電力消費の大きい二つのブロックの重畳的動作を回避でき、電力消費の増大を防止して電源電圧の低下を抑制できる。したがって、例えば、電池の残存能力が低い場合の“不時電源オフ”を回避して、システム安定性の向上を図ることができる。
請求項２記載の発明によれば、電動の沈胴式レンズを備えた電子カメラにおいて、電子カメラ各部の処理を実行する主制御手段と、前記沈胴式レンズを駆動するモータの初期化処理を実行する副制御手段とを備え、前記副制御手段により前記モータの初期化処理が実行されている場合、前記主制御手段をスタンバイ状態又は電源オフ状態に保持し、前記副制御手段による初期化処理の終了後、前記副制御手段が前記主制御手段のスタンバイ状態又は電源オフ状態を解除するようにしたので、モータの初期化処理中、主制御手段がスタンバイ状態又は電源オフ状態となり、電力消費の大きい二つのブロックの重畳的動作を回避でき、特に、電源オン時の“不時電源オフ”を回避して、システム安定性の向上を図ることができる。
【発明を実施するための最良の形態】
【００１４】
以下、本発明の実施の形態を、電動式のズームレンズ付きディジタルカメラを例にして、図面を参照しながら説明する。
図１において、１０はディジタルカメラ（電子カメラ）である。ディジタルカメラ１０は、特に限定しないが、本体部１１と、この本体部１１に回動可能に取り付けられたカメラ部１２とに分かれており、カメラ部１２の前面（図面の裏面側）には電動式のズームレンズ３０（以下、単に「ズームレンズ」と言う）が装着されている。ズームレンズ３０の後ろには、図示を略したＣＣＤが取り付けられており、後述の撮影モードの際に、ズームレンズ３０から取り込まれた被写体の像を電気信号に変換して所定周期のフレーム画像を生成できるようになっている。なお、構図を確認するためのファインダをカメラ部１２に設けてもよい。
【００１５】
一方、本体部１１には、撮影中の画像（以下「スルー画像」と言う）や記録済みの画像（以下「記録画像」と言う）を確認するための平面表示装置、例えば、液晶ディスプレイ１３が取り付けられているほか、シャッターキー１４を始めとする各種の操作キー類が適宜の位置に取り付けられている。
ちなみに、操作キーは、例えば、プラスキー１５、マイナスキー１６、デリートキー１７、電源スイッチ１８、モードキー１９、ディスプレイキー２０、ズームキー２１、セルフタイマーキー２２、ファンクションスイッチ２３などであり、これら各キーの機能は、以下のとおりである。
【００１６】
（１）シャッターキー１４：
通常の撮影モードではその名前通りの役目を果たすが、撮影済みの画像を再生する再生モードでは選択された機能の実行キーの役割を果たす。
（２）プラスキー１５：
再生画像をプラス方向（最新画像の方向）に向かって選択したり、カーソルを下や右方向に移動したりするためのキーである。
（３）マイナスキー１６：
方向が逆向きである以外、プラスキーと同じ機能である。
（４）デリートキー１７：
選択画像の削除キーである。
【００１７】
（５）電源スイッチ１８：
電源のオンオフキーであり、特に限定しないが、復帰型のスライドスイッチである。例えば、通常はスプリングによって左方向に付勢されているが、この付勢力に抗して指で右にスライドさせることにより、電源をオンにしたりオフにしたりすることができるものである。
電源のオンオフは直前の状態に依存する。すなわち、直前の状態が電源オフであれば、同スイッチ１８をスライドさせると電源オンとなり、逆の状態であれば電源オフとなる。
（６）モードキー１９：
様々な機能選択を行うキーである。
（７）ズームキー２１：
ズームレンズ３０の倍率を変えるためのキーである。なお、所定の倍率（例えば、ズームレンズ３０の最大倍率）以上ではディジタルズーム用のキーとして働くものであってもよい。
（８）ファンクションスイッチ２３：
撮影モードと再生モードを切り替えるスライドスイッチである。上にスライドすると撮影モード、下にスライドすると再生モードになる。
【００１８】
＜第一の実施の形態＞
図２は、ディジタルカメラ１０の要部ブロック図であり、２００は電源スイッチ（図１の符号１８参照）を含むキーブロック、２０１は電源部、２０２はレンズ駆動部、２０３は光学レンズやレンズ駆動機構を含む光学メカブロック、２０４はイメージセンサとしてのＣＣＤ、２０５はＣＣＤ駆動ブロックである。また、２０６は主制御手段としてのメインＣＰＵ（例えば、３２ビットのＲＩＳＣチップ）、２０７はメインＣＰＵ２０６で実行する各種プログラムやデータ等を格納するＲＯＭ、２０８は同プログラムをロードして実行するためのＲＡＭである。
【００１９】
電源部２０１は、カメラ各部へ電源を供給する電源ブロック２０１ａと、その制御ブロック（電源制御ブロック）２０１ｂとから構成されており、電源制御ブロック２０１ｂは、キーブロック２００からの電源オン信号２０９に応答して電源ブロック２０１ａの起動（電源の発生）を促す電源起動信号２１０をアクティブにするとともに、メインＣＰＵ２０６から出力される電源維持信号２１１ａがアクティブになっている間、又は、レンズ駆動部２０２からのレンズ駆動電源維持信号２１１ｂがアクティブになっている間、電源起動信号２１０のアクティブを継続するというものである。
キーブロック２００の電源スイッチをオンにすると、直ちに電源ブロック２０１ａからカメラ各部に電源が供給され、これに伴って、メインＣＰＵ２０６を含むカメラ各部の動作が開始されるとともに、メインＣＰＵ２０６で所要のシステム起動処理が実行されることにより、メインＣＰＵ２０６からの電源維持信号２１１ａがアクティブになって、以降、カメラ各部への電源供給を継続できる。
【００２０】
ここで、撮影を終えて電源をオフにする際は、従来技術と同様に、まず、キーブロック２００の電源スイッチをオフにする。このオフ操作に応答して、キーブロック２００から電源オフ信号２１２が出力され、メインＣＰＵ２０６は、この電源オフ信号２１２に従って所要のシステム終了処理を開始する。
【００２１】
ところで、本実施の形態においても、従来技術と同様に、かかるシステム終了処理に前述の「格納処理」は含まれない。この格納処理は、レンズ駆動部２０２に設けられた、４ビットないし８ビット程度の比較的低性能な、したがって、低電力のＣＰＵ２０２ａ（以下「サブＣＰＵ」と言う）の担当である。
サブＣＰＵ２０２ａは、副制御手段としての機能を有し、メインＣＰＵ２０６からの処理開始信号２１３に応答して当該処理を開始する点で従来技術と共通するが、すなわち、サブＣＰＵ２０２ａは、処理開始信号２１３に従ってモータドライバ２０２ｂを制御しながらモータ２０２ｃを駆動し、光学メカブロック２０３に含まれるレンズ駆動機構を動かして鏡筒の長さを最短長に縮めるという処理動作を独立して行う点で冒頭の従来技術と共通するが、その格納処理の開始タイミングの点で相違する。
【００２２】
図３は、本実施の形態における電源オフ時の概念的な動作タイミングチャートであり、図面の横方向が時間軸である。まず、電源スイッチをオフにすると、（Ｓ１１）電源オフ信号２１２が発生し、（Ｓ１２）メインＣＰＵ２０６でシステム終了処理が開始される。次いで、（Ｓ１３）システム終了処理の適宜の時点で処理開始信号２１３が発生し、（Ｓ１４）これに応答してサブＣＰＵ２０２ａで格納処理が開始される。
【００２３】
（Ｓ１５ａ）格納処理の開始に伴ってモータ２０２ｃが回転を始めると、同時に、（Ｓ１５ｂ）サブＣＰＵ２０２ａからメインＣＰＵ２０６にスタンバイ指示信号（図２の符号２１４参照）が出力されるとともに、サブＣＰＵ２０２ａからの電源部２０１へのレンズ駆動電源維持信号２１１ｂがアクティブにされる。
メインＣＰＵ２０６は、指示信号２１４に応答してクロックスピードを遅くしたり一部の回路を非動作にしたりしてスタンバイ状態に移行し電力消費を少なくする一方、電源部２０１はレンズ駆動電源維持信号２１１ｂに従って各部への電源供給を継続する。
【００２４】
そして、（Ｓ１６）鏡筒の長さが最短長になった時点でモータ２０２ｃの回転が停止し、（Ｓ１７）同格納処理を完了すると、（Ｓ１８）サブＣＰＵ２０２ａは、レンズ駆動電源維持信号２１１ｂをインアクティブにして各部への電源供給を遮断し、一連の処理を終了する。
【００２５】
図３において、Ａ′はモータ２０２ｃの回転区間である。図からも明らかなように、この区間Ａ′ではメインＣＰＵ２０６はスタンバイ状態であるから、もっぱらモータ２０２ｃで電力が消費されることになる。
したがって、同区間Ａ′の電力消費を従来技術と比べて大幅に抑制（少なくともメインＣＰＵ２０６の駆動電力とスタンバイ電力との差程度を抑制）することができ、電源電圧の低下を抑えて“不時電源オフ”を回避できるという、システム安定性の点で格別有益な効果が得られるのである。
【００２６】
かかる効果を得るために工夫された本実施の形態における技術的思想は、要するに、メインＣＰＵ２０６における高負荷処理（システム終了処理）と、サブＣＰＵ２０２ａにおける高負荷処理（ズームレンズ３０の格納処理）との実行タイミングを調停して両者の重畳動作、すなわち、オーバラップを回避すると同時に、サブＣＰＵ２０２ａにおける高負荷処理中、メインＣＰＵ２０６をスタンバイあるいはオフ状態に置くことにより、メインＣＰＵ２０６そのものの負荷と、サブＣＰＵ２０２ａにおける高負荷とが同時にかかってしまうことを回避するというものである。
そして、その回避動作を行うための手段は、例えば、以下の諸点を含む複合的な要素で実現することができる。
【００２７】
（イ）  モータ２０２ｃへの電源供給を維持するための信号（レンズ駆動電源維持信号２１１ｂ）を設ける。この信号２１１ｂは、既述のとおり、モータ２０２ｃの回転中にアクティブになる信号であり、メインＣＰＵ２０６からの電源維持信号２１１ａを補完するための信号である。
すなわち、電源維持信号２１１ａは、メインＣＰＵ２０６がスタンバイ状態に移行するとインアクティブになってしまうため、そのままでは、スタンバイ状態への移行と同時に電源部２０１から各部への電源供給が断たれてしまい、ズームレンズ３０の格納処理などの必要な処理を行うことができなくなるが、上述のレンズ駆動電源維持信号２１１ｂを設ければ、電源維持信号２１１ａがインアクティブになっても、各部（特に、レンズ駆動部２０２）への電源供給を継続することができる。
【００２８】
（ロ）  電源制御ブロック２０１ｂに上記二つの信号（電源維持信号２１１ａとレンズ駆動電源維持信号２１１ｂ）を受け取る回路（図２の符号２１５参照）を設ける。この回路２１５の有すべき機能は、「電源維持信号２１１ａとレンズ駆動電源維持信号２１１ｂのいずれか一方がアクティブの間、電源起動信号２１０のアクティブを継続して、電源ブロック２０１ａでの電源発生を持続させる」というものであり、例えば、アクティブの論理を“１”とすれば、要するに、電源維持信号２１１ａとレンズ駆動電源維持信号２１１ｂとのオア論理をとることに相当する。
【００２９】
（ハ）  サブＣＰＵ２０２ａにレンズ駆動電源維持信号２１１ｂを発生するための機能（図２の符号２１６参照）を設ける。なお、この機能２１６は、サブＣＰＵ２０２ａ上でソフト的に実現されるものであるが、ハードロジックなどで実現されるものであっても構わない。
【００３０】
ところで、以上の実施の形態においては、電源オフ時の“不時電源オフ”を回避できる点で有益であるが、電源オン時の“不時電源オフ”を回避できない点で改良の余地がある。
【００３１】
＜第二の実施の形態＞
図４は、電源オフ時に加えて、電源オン時の“不時電源オフ”も回避できるようにした改良例であり、第一の実施の形態との相違は、サブＣＰＵ２０２ａからメインＣＰＵ２０６にスタンバイ復帰信号２１７を出力できるようにし、この信号２１７をメインＣＰＵ２０６の信号入力部２１８で受けてメインＣＰＵ２０６を通常動作させ得るようにした点にある。
【００３２】
図５は、本実施の形態における電源オン時の概念的な動作タイミングチャートであり、図面の横方向が時間軸である。まず、電源スイッチをオンにすると、（Ｓ２１）電源オン信号２１２が発生し、（Ｓ２２）電源部２０１から各部へ電源が供給される。そして、（Ｓ２３）メインＣＰＵ２０６でシステム初期化処理が開始され、（Ｓ２４）システム初期化処理の適宜の時点で処理開始信号２１３が発生し、（Ｓ２５）これに応答してサブＣＰＵ２０２ａでズームレンズ初期化処理（原点位置出し等の処理など）が開始される。
【００３３】
（Ｓ２６ａ）ズームレンズ初期化処理の開始に伴ってモータ２０２ｃが回転を始めると、同時に、（Ｓ２６ｂ）サブＣＰＵ２０２ａからメインＣＰＵ２０６にスタンバイ指示信号２１４が出力さるとともに、サブＣＰＵ２０２ａから電源部２０１へのレンズ駆動電源維持信号２１１ｂがアクティブにされる。
メインＣＰＵ２０６は、指示信号２１４に応答してクロックスピードを遅くしたり一部の回路を非動作にしたりしてスタンバイ状態に移行し電力消費を少なくする一方、電源部２０１はレンズ駆動電源維持信号２１１ｂに従って各部への電源供給を継続する。
【００３４】
そして、（Ｓ２７）鏡筒の長さが所定長（原点位置に対応した長さ）になった時点でモータ２０２ｃの回転が停止し、（Ｓ２８）ズームレンズ初期化処理を完了すると、サブＣＰＵ２０２ａからメインＣＰＵ２０６にスタンバイ復帰信号２１７を出力して一連の処理を終了する。
【００３５】
したがって、この実施の形態においては、第一の実施の形態と同様に電源オン時の“不時電源オフ”を回避できるうえ、図５に示すように、電源オン時のモータ２０２ｃの回転中にメインＣＰＵ２０６をスタンバイ状態にすることができ、当該回転区間（Ａ″）の電力消費を抑えて、電源オン時の“不時電源オフ”も回避できるという格別な効果が得られる点で優れている。
【００３６】
＜第三の実施の形態＞
ところで、ＣＰＵの種類によっては、スタンバイ機能を持たないものがあり、この種のＣＰＵに対しては上記の各実施の形態を適用することができない。
図６において、３００はスタンバイ機能を持たないメインＣＰＵ、３０１は少なくともａ、ｂ二系統の電源を出力する電源ブロック、３０２は電源制御ブロックであり、他の要素は上記第一の実施の形態（図２）と同一である。
【００３７】
電源ブロック３０１は、少なくとも第一と第二のブロック３０１ａ、３０１ｂからなり、第一のブロック３０１ａは、第一の電源起動信号２１０ａがアクティブの間、ａ系の電源（メインＣＰＵ３００とその周辺回路用の電源）を発生し、第二のブロック３０１ｂは、第二の電源起動信号２１０ｂがアクティブの間、ｂ系の電源（サブＣＰＵ２０２ａを含むレンズ駆動部用の電源）を発生する。
また、電源制御ブロック３０２は、メインＣＰＵ３００からの電源維持信号２１１ａがアクティブの間、第一の電源起動信号２１０ａをアクティブにする第一の回路２１５ａと、サブＣＰＵ２０２ａからのレンズ駆動電源維持信号２１１ｂがアクティブの間、第二の電源起動信号２１０ｂをアクティブにする第二の回路２１５ｂとを含んでいる。
【００３８】
したがって、この実施の形態によれば、メインＣＰＵ３００からの電源維持信号２１１ａがアクティブの間は、第一の電源起動信号２１０ａがアクティブになってａ系の電源が発生するため、メインＣＰＵ３００とその周辺回路に対して電源を供給し続けることができ、一方、サブＣＰＵ２０２ａからのレンズ駆動電源維持信号２１１ｂがアクティブの間（モータ２０２ｃの回転中）は、第二の電源起動信号２１０ｂがアクティブになってｂ系の電源が発生するため、サブＣＰＵ２０２ｃを含むレンズ駆動部に対して電源を供給し続けることができるうえ、さらに、サブＣＰＵ２０２ａからメインＣＰＵ３００に所定の制御信号（便宜的に第一の実施の形態のスタンバイ指示信号２１４とする）を出力し、この制御信号に応答して、メインＣＰＵ３００からの電源維持信号２１１ａをインアクティブにすることにより、上記第一の電源起動信号２１０ａをインアクティブにしてａ系の電源、すなわち、メインＣＰＵ３００とその周辺回路用の電源を遮断でき、スタンバイ機能をもたないメインＣＰＵ３００であっても、実質的にメインＣＰＵ３００とその周辺回路を非動作状態にして、第一の実施の形態と同様の効果（電源オン時の“不時電源オフ”を回避できる）を得ることができる。
なお、上述したシステム終了処理の終了時点で処理開始信号２１３を発生すると同時に、電源維持信号２１１ａをインアクティブにするようにしてもよい。
【００３９】
＜第四の実施の形態＞
この実施の形態は、上記第三の実施の形態を改良し、電源オン時の“不時電源オフ”も回避するようにしたものである。
上記第三の実施の形態との相違は、図７に示すように、サブＣＰＵ２０２ａから電源制御ブロック３０２の第三の回路２１５ｃにズームレンズ駆動完了信号２１１ｃを出力できるようにするとともに、このズームレンズ駆動完了信号２１１ｃのアクティブに応答させて、第一の電源起動信号２１０ａをインアクティブからアクティブへと復帰させ得るようにした点にある。
【００４０】
この例によれば、第一の電源起動信号２１０ａをインアクティブにしてａ系の電源を遮断した後、適宜の時点でズームレンズ駆動完了信号２１１ｃを出力することにより、第一の電源起動信号２１０ａをアクティブに復帰させることができる。
したがって、メインＣＰＵ３００とその周辺回路用の電源を再び発生させることができるから、電源オン時における“不時電源オフ”の回避も図ることができる。
【図面の簡単な説明】
【００４１】
【図１】ディジタルカメラの外観図である。
【図２】第一の実施の形態のブロック図である。
【図３】第一の実施の形態のタイミングチャートである。
【図４】第二の実施の形態のブロック図である。
【図５】第二の実施の形態のタイミングチャートである。
【図６】第三の実施の形態のブロック図である。
【図７】第四の実施の形態のブロック図である。
【図８】従来例のブロック図である。
【図９】従来例のタイミングチャートである。
【符号の説明】
【００４２】
１０      ディジタルカメラ（電子カメラ）
３０      ズームレンズ
２０２ａ  サブＣＰＵ（副制御手段）
２０６    メインＣＰＵ（主制御手段）
【図１】
2005331988.tif 000003
【図２】
2005331988.tif 000004
【図３】
2005331988.tif 000005
【図４】
2005331988.tif 000006
【図５】
2005331988.tif 000007
【図６】
2005331988.tif 000008
【図７】
2005331988.tif 000009
【図８】
2005331988.tif 000010
【図９】
2005331988.tif 000011
【手続補正書】
【提出日】平成17年8月10日(2005.8.10)
【手続補正１】
【補正対象書類名】特許請求の範囲
【補正対象項目名】全文
【補正方法】変更
【補正の内容】
【特許請求の範囲】
【請求項１】
電動の沈胴式レンズを備えた電子カメラにおいて、
電子カメラ各部の処理を実行する主制御手段と、
ズームレンズの初期化処理を実行する副制御手段と、
この副制御手段により前記ズームレンズの初期化処理が実行されている間、前記主制御手段をスタンバイ状態又は電源オフ状態に保持する保持手段とを備え、
前記副制御手段は、更に、
前記ズームレンズの初期化処理の終了後、前記主制御手段のスタンバイ状態又は電源オフ状態を解除する手段を含むことを特徴とする電子カメラ。
【請求項２】
前記保持手段は、前記副制御手段により前記主制御手段のスタンバイ状態又は電源オフ状態が保持されることを特徴とする請求項１記載の電子カメラ。
【請求項３】
前記副制御手段は、更に、前記ズームレンズの初期化処理の実行中、前記電子カメラ各部及び又はレンズ駆動部の電源供給を継続する手段を含むことを特徴とする請求項１又は２記載の電子カメラ。
【請求項４】
前記副制御手段は、電源スイッチのオン操作に応答して前記ズームレンズの初期化処理を開始することを特徴とする請求項１乃至３の何れかに記載の電子カメラ。
【請求項５】
前記主制御手段は、更に、前記電子カメラ各部の電源を制御する手段を含むことを特徴とする請求項１乃至４の何れかに記載の電子カメラ。
【請求項６】
前記主制御手段は、更に、システム初期化処理を実行する手段を含むことを特徴とする請求項１乃至５の何れかに記載の電子カメラ。
【請求項７】
前記主制御手段は、電源スイッチのオン操作に応答して前記システム初期化処理を開始することを特徴とする請求項６記載の電子カメラ。
【請求項８】
前記副制御手段は、更に、
前記沈胴式レンズの格納処理を実行する手段と、
前記沈胴式レンズの格納処理の終了後、前記電子カメラ各部及び又はレンズ駆動部の電源をオフする手段を含み、
前記保持手段は、更に、
前記副制御手段により前記沈胴式レンズの格納処理が実行されている間、前記主制御手段をスタンバイ状態又は電源オフ状態に保持する手段を含むことを特徴とする請求項１乃至７の何れかに記載の電子カメラ。
【請求項９】
前記副制御手段は、更に、前記沈胴式レンズの格納処理の実行中、前記電子カメラ各部及び又はレンズ駆動部の電源供給を継続する手段を含むことを特徴とする請求項８記載の電子カメラ。
【請求項１０】
前記副制御手段は、電源スイッチのオフ操作に応答して前記沈胴式レンズの格納処理を開始することを特徴とする請求項８又は９記載の電子カメラ。
【請求項１１】
前記主制御手段は、更に、システム終了処理を実行する手段を含むことを特徴とする請求項８乃至１０の何れかに記載の電子カメラ。
【請求項１２】
前記主制御手段は、電源スイッチのオフ操作に応答して前記システム終了処理を開始することを特徴とする請求項１１記載の電子カメラ。
【手続補正２】
【補正対象書類名】明細書
【補正対象項目名】００１２
【補正方法】変更
【補正の内容】
【００１２】
請求項１記載の発明は、電動の沈胴式レンズを備えた電子カメラにおいて、電子カメラ各部の処理を実行する主制御手段と、ズームレンズの初期化処理を実行する副制御手段と、この副制御手段により前記ズームレンズの初期化処理が実行されている間、前記主制御手段をスタンバイ状態又は電源オフ状態に保持する保持手段とを備え、前記副制御手段は、更に、前記ズームレンズの初期化処理の終了後、前記主制御手段のスタンバイ状態又は電源オフ状態を解除する手段を含むことを特徴とする。
また、請求項２記載の発明は、請求項１記載の発明において、前記保持手段は、前記副制御手段により前記主制御手段のスタンバイ状態又は電源オフ状態が保持されることを特徴とする。
また、請求項３記載の発明は、請求項１又は２記載の発明において、前記副制御手段は、更に、前記ズームレンズの初期化処理の実行中、前記電子カメラ各部及び又はレンズ駆動部の電源供給を継続する手段を含むことを特徴とする。
また、請求項４記載の発明は、請求項１乃至３の何れかに記載の発明において、前記副制御手段は、電源スイッチのオン操作に応答して前記ズームレンズの初期化処理を開始することを特徴とする。
また、請求項５記載の発明は、請求項１乃至４の何れかの記載の発明において、前記主制御手段は、更に、前記電子カメラ各部の電源を制御する手段を含むことを特徴とする。
また、請求項６記載の発明は、請求項１乃至５の何れかの記載の発明において、前記主制御手段は、更に、システム初期化処理を実行する手段を含むことを特徴とする。
また、請求項７記載の発明は、請求項１乃至４の何れかの記載の発明において、前記主制御手段は、電源スイッチのオン操作に応答して前記システム初期化処理を開始することを特徴とする。
また、請求項８記載の発明は、請求項１乃至７の何れかの記載の発明において、前記副制御手段は、更に、前記沈胴式レンズの格納処理を実行する手段と、前記沈胴式レンズの格納処理の終了後、前記電子カメラ各部及び又はレンズ駆動部の電源をオフする手段を含み、前記保持手段は、更に、前記副制御手段により前記沈胴式レンズの格納処理が実行されている間、前記主制御手段をスタンバイ状態又は電源オフ状態に保持する手段を含むことを特徴とする。
また、請求項９記載の発明は、請求項８記載の発明において、前記副制御手段は、更に、前記沈胴式レンズの格納処理の実行中、前記電子カメラ各部及び又はレンズ駆動部の電源供給を継続する手段を含むことを特徴とする。
また、請求項１０記載の発明は、請求項８又は９記載の発明において、前記副制御手段は、電源スイッチのオフ操作に応答して前記沈胴式レンズの格納処理を開始することを特徴とする。
また、請求項１１記載の発明は、請求項８乃至１０の何れかの記載の発明において、前記主制御手段は、更に、システム終了処理を実行する手段を含むことを特徴とする。
また、請求項１２記載の発明は、請求項１１記載の発明において、前記主制御手段は、電源スイッチのオフ操作に応答して前記システム終了処理を開始することを特徴とする。
【手続補正３】
【補正対象書類名】明細書
【補正対象項目名】００１３
【補正方法】変更
【補正の内容】
【００１３】
本発明によれば、沈胴式レンズの格納処理中、主制御手段がスタンバイ状態又は電源オフ状態となり、電力消費の大きい二つのブロックの重畳的動作を回避でき、電力消費の増大を防止して電源電圧の低下を抑制できる。したがって、例えば、電池の残存能力が低い場合の“不時電源オフ”を回避して、システム安定性の向上を図ることができる。
さらに、ズームレンズの初期化処理中、主制御手段がスタンバイ状態又は電源オフ状態となり、電力消費の大きい二つのブロックの重畳的動作を回避でき、特に、電源オン時の“不時電源オフ”を回避して、システム安定性の向上を図ることができる。